(57)【要約】    【課題】  軒樋ネット固定具において、軒樋の形状に拘わらず、かつ脱着作業性を向上させる。    【解決手段】  軒樋ネット１３の外周部と軒樋１の両側壁の内面１ａ，１ｂとの各間にそれぞれ上方側から挿入されて、ブラケット２の下方を通過し、軒樋ネット１３の外周部と軒樋１の両側壁の内面１ａ，１ｂとの各間からそれぞれ上方に向けて露出する２つの略Ｕ字状の潜り部５５，５６と、軒樋ネット１３をその上方側において跨ぐ跨ぎ部５７とが一体的に連なり、両潜り部５５，５６の対応する端部には、軒樋ネット１３をその上方側において跨いで結束する結束バンド６０が取り付けられる孔５５ａ，５６ａが形成されている。【選択図】            図４
2005139674.tif 000002
【特許請求の範囲】
【請求項１】
軒樋の両側壁上端近傍部分に架け渡されて前記軒樋を支持する片持ち梁状の軒樋吊具に
、前記軒樋吊具の上方に配設されて前記軒樋の雨水受け部の上方を覆う軒樋ネットを固定
する軒樋ネット固定具であって、
前記軒樋ネットの外周部と前記軒樋の両側壁の内面との各間にそれぞれ上方側から挿入
されて、前記軒樋吊具の下方を通過し、前記外周部と前記両側壁の内面との各間からそれ
ぞれ上方に向けて露出するように略Ｕ字状に形成され、前記軒樋ネットの幅と略等しい間
隔を以て略平行に配置される２つの潜り部と、前記軒樋ネットをその上方側において跨ぐ
跨ぎ部とを有し、前記両潜り部の対応する各一端が前記跨ぎ部の両端にそれぞれ連なって
全体として一体をなし、前記両潜り部の対応する各他端には、前記軒樋ネットをその上方
側において跨いで結束する結束部材が取り付けられる結束部材取付部が形成されているこ
とを特徴とする軒樋ネット固定具。
【請求項２】
展開状態において略矩形帯状の一辺部の略中間部分が切断または切り欠かれた開放矩形
帯状を呈し、前記一辺部のうち前記切断または切り欠かれた部分にそれぞれ隣接する２つ
の残辺部同士が互いに対向するように、前記一辺部に平行な対辺部が屈曲して形成されて
いることを特徴とする請求項１に記載の軒樋ネット固定具。
【請求項３】
展開状態において略Ω字状を呈し、前記Ω字の２つの脚部同士が互いに対向するように
、前記Ω字の頂部近傍が屈曲して形成されていることを特徴とする請求項１に記載の軒樋
ネット固定具。
【請求項４】
２つの前記結束部材取付部のうち一方の結束部材取付部に、前記結束部材が予め取り付
けられていることを特徴とする請求項１または２に記載の軒樋ネット固定具。
【請求項５】
軒樋の両側壁上端近傍部分に架け渡されて前記軒樋を支持する片持ち梁状の軒樋吊具に
、前記軒樋吊具の上方に配設されて前記軒樋の雨水受け部の上方を覆う軒樋ネットを、軒
樋ネット固定具によって固定した軒樋ネット固定構造であって、
前記軒樋ネットと前記軒樋吊具との立体交差部分において、請求項１から４のうちいず
れか１項に記載の軒樋ネット固定具が装着され、前記軒樋ネット固定具の前記両結束部材
取付部間が、前記結束部材により結束されて、軒樋ネットを前記軒樋吊具に固定してなる
ことを特徴とする軒樋ネット固定構造。
【発明の詳細な説明】
【技術分野】
【０００１】
本発明は、軒樋ネットの固定具およびこの固定具を用いた軒樋ネット固定構造に関し、
詳細には、軒樋に配設されて軒樋内側の雨水受け部に落ち葉等が落ち込むのを防止する軒
樋ネットの固定具および固定構造に関する。
【背景技術】
【０００２】
従来より、建物等には雨樋が設けられているが、この雨樋のうち水平方向に対して僅か
な勾配を形成して配設される軒樋は、その内面側において雨水を受けるために、上方向に
開口しており、この雨水を受ける雨水受け部に落ち葉などが落ちて堆積すると、雨水が堰
き止められて竪樋に流し込む機能が損なわれる虞がある。また、軒樋に落ちた落ち葉等が
流されて竪樋に詰まると、雨水を排水する機能が損なわれる虞がある。
【０００３】
そこで、軒樋の雨水受け部に落ち葉や大きな塵が落ち込むのを防止するために、雨水受
け部の上方を覆う軒樋ネットが配設されることがある。
【０００４】
このようなネットとしては、例えば、軒樋の上部開口を覆う落ち葉避け網であって、落
ち葉を受けるための略水平な落ち葉受け網部の一端部から斜め外側上方向に向けて傾斜し
、かつ上方へ凸となるように湾曲した傾斜網部を有する落ち葉避け網が提案されており、
この落ち葉避け網は、軒樋の両側壁端縁部にそれぞれ形成された耳部に引っ掛けることに
よって固定されている（特許文献１）。
【０００５】
また、軒樋ネットの他の固定構造としては、例えば図７に示すものが知られている。す
なわち、軒樋１は図６に示すように、紙面に直交する長手方向に延びて配設され、建物の
鼻隠し板５に適宜の間隔で固定された複数のブラケット２（軒樋吊具）によって、支持固
定されている。ここでブラケット２は、軒下部分を覆う鼻隠し板５に面接触する板状の取
付部３と、この取付部３から突出した軒樋支持腕部４とが一体的に形成されて構成されて
いる。
【０００６】
取付部３は、鼻隠し板５に面接触した状態で釘等によって固定されており、軒樋支持腕
部４の先端側腕部４ａに軒樋１の外側壁の耳部６が引っ掛けられるとともに、軒樋支持腕
部４の根元側腕部４ｂに軒樋１の内側壁の耳部７が引っ掛けられることによって、軒樋１
は軒先１１に配設される。
【０００７】
そして、先端側腕部４ａの近傍および根元側腕部４ｂの近傍に、第１の銅線９および第
２の銅線１０の各一端を対応して取り付け、第１の銅線９を軒樋１の外側耳部６側に仮に
延設し、第２の銅線１０を水切り材８の先端側を通過して屋根材に仮に延設する。
【０００８】
ここで、図７（ａ）に示すように、二つに折り畳まれたプラスチック製のネット１３が
、前側耳部６と軒先１１との間に挿嵌されて、雨水受け部１２の上方を覆い、同図（ｂ）
に示すように、このネット１３の上方側で両銅線９，１０を互いに結束することにより、
ネット１３はブラケット２に固定される。
【特許文献１】実開平３−９０７３５号公報
【発明の開示】
【発明が解決しようとする課題】
【０００９】
しかしながら、特許文献１による落ち葉避け網は、特定の形状の軒樋にしか利用するこ
とができないため、この落ち葉避け網の固定も汎用性を欠いたものとなっている。
【００１０】
また、図６に示した銅線によるネットの固定構造は、軒樋１と建物の軒先１１の構造と
の関係、特に建物側に水切り材８などが設けられている構造の場合、根元側腕部４ｂに銅
線１０の一端を取り付ける作業空間の狭さや死角領域での作業となる等の理由により、作
業を行い難く、全体の作業時間が長時間を要するものとなる。
【００１１】
さらに、雨水受け部には、ネットの設置有無に拘わらず経年のうちに泥等の小異物が堆
積するため、適当な期間ごとにネットを取り外してこれら異物を適切に除去することが必
要である。したがって、脱着作業性が良好な軒樋ネットの固定具およびその固定構造が望
まれている。
【００１２】
本発明は上記事情に鑑みなされたものであり、軒樋の形状に拘わらず、かつ脱着作業性
を向上させた軒樋ネット固定具およびこの固定具を用いた軒樋ネット固定構造を提供する
ことを目的とするものである。
【課題を解決するための手段】
【００１３】
本発明の請求項１に係る軒樋ネット固定具は、樋を支持する片持ち梁状の軒樋吊具に、
前記軒樋吊具の上方に配設されて前記軒樋の雨水受け部の上方を覆う軒樋ネットを固定す
る軒樋ネット固定具であって、前記軒樋ネットの外周部と前記軒樋の両側壁の内面との各
間にそれぞれ上方側から挿入されて、前記軒樋吊具の下方を通過し、前記外周部と前記両
側壁の内面との各間からそれぞれ上方に向けて露出するように、略Ｕ字状に形成され、前
記軒樋ネットの幅と略等しい間隔を以て略平行に配置される２つの潜り（くぐり）部と、
前記軒樋ネットをその上方側において跨ぐ跨ぎ（またぎ）部とを有し、前記両潜り部の対
応する各一端が前記跨ぎ部の両端にそれぞれ連なって全体として一体をなし、前記両潜り
部の対応する各他端には、前記軒樋ネットをその上方側において跨いで結束する結束部材
が取り付けられる結束部材取付部が形成されていることを特徴とする。
【００１４】
ここで、潜り部は略Ｕ字状を呈するが、この略Ｕ字状には、Ｕ字状の他、Ｊ字状やＶ字
状、「し」字状、上方に開口するように向きを変えた「コ」字状等を含み、軒樋吊具の上
方を立体的に交差する軒樋ネットの高さ位置を基準として、軒樋吊具の下方を潜る高低差
の折返し形状を有するものであればよい。
【００１５】
また、本発明の請求項２に係る軒樋ネット固定具は、請求項１に係る軒樋ネット固定具
において、展開状態において略矩形帯状の一辺部の略中間部分が切断または切り欠かれた
開放矩形帯状を呈し、前記一辺部のうち前記切断または切り欠かれた部分にそれぞれ隣接
する２つの残辺部同士が互いに対向するように、前記一辺部に平行な対辺部が屈曲して形
成されていることを特徴とする。
【００１６】
また、本発明の請求項３に係る軒樋ネット固定具は、請求項１に係る軒樋ネット固定具
において、展開状態において略Ω字状を呈し、前記Ω字の２つの脚部同士が互いに対向す
るように、前記Ω字の頂部近傍が屈曲して形成されていることを特徴とする。
【００１７】
上述した本発明の請求項１から３に係る各軒樋ネット固定具において、結束部材は、例
えば針金等金属の線材や、ひもや樹脂等のバンド部材等である。
【００１８】
また、本発明の各軒樋ネット固定具によって固定される軒樋ネットは、軒樋の延びる方
向に沿った軸回りに丸められて、略中空円筒状に形成されたものであるが、必ずしもこの
形状のものに限定されるものではなく、略中空半円筒状のものなど、縦断面が上方に凸と
なる中空筒状のもの、あるいは単に平板状のものであってもよい。
【００１９】
なお、略中空円筒状を始めとする縦断面が上方に凸となる形状の軒樋ネットは、軒樋吊
具の上方に配された状態において、上面部が平面にならないため、この面上に落ち葉等の
塵が落ちても、塵はこの面上に滞留しにくく、したがって軒樋ネット上に塵が堆積するの
を抑制することができる。
【００２０】
本発明の請求項４に係る軒樋ネット固定具は、請求項１から３のうちいずれか１項に係
る軒樋ネット固定具において、２つの前記結束部材取付部のうち一方の結束部材取付部に
、前記結束部材が予め取り付けられていることを特徴とする。
【００２１】
本発明に係る軒樋ネット固定構造は、軒樋の両側壁上端近傍部分に架け渡されて前記軒
樋を支持する片持ち梁状の軒樋吊具に、前記軒樋吊具の上方に配設されて前記軒樋の雨水
受け部の上方を覆う軒樋ネットを、軒樋ネット固定具によって固定した軒樋ネット固定構
造であって、前記軒樋ネットと前記軒樋吊具との立体交差部分において、請求項１から４
のうちいずれか１項に記載の軒樋ネット固定具が装着され、前記軒樋ネット固定具の前記
両結束部材取付部間が、前記結束部材により結束されて、軒樋ネットを前記軒樋吊具に固
定してなることを特徴とする。
【発明の効果】
【００２２】
本発明の請求項１に係る軒樋ネット固定具によれば、略Ｕ字状に形成された両潜り部の
他端を、軒樋ネットの外周部と軒樋の両側壁の内面との各間にそれぞれ上方側から挿入し
て、軒樋吊具の下方を通過させ、軒樋ネットの外周部と軒樋の両側壁の内面との各間から
それぞれ上方に向けて露出させることができ、このとき、軒樋ネット固定具の他端を挿入
した手前側では、跨ぎ部が軒樋ネットの上方側を跨ぎ、他端が露出した奥側では、結束部
材を軒樋ネットの上方側を跨がせて結束部材取付部に取り付けることができ、さらに両潜
り部は、軒樋吊具の下方を潜った状態となる。
【００２３】
そして、この状態においては、軒樋ネットと軒樋吊具とが軒樋ネット固定具および結束
部材によって互いに拘束された状態となり、軒樋ネットを軒樋吊具に固定することができ
る。
【００２４】
また、上述した軒樋、軒樋吊具および軒樋ネットの形状並びに配置は、特殊なものでは
なく一般的なものであるため、軒樋ネット固定具も汎用的に利用することができる。
【００２５】
さらに、上述した軒樋ネット固定具の両潜り部を、軒樋ネットと軒樋との間に滑り込ま
せて軒樋吊具の下方を潜らせ、視認可能に露出した結束部材取付部間を結束部材によって
結束するだけの操作によって、軒樋ネットを固定することができるため、取付け固定作業
性を良好なものとすることができる。
【００２６】
一方、既に固定されている軒樋ネット固定具を取り外す場合には、視認可能に露出した
結束部材を切断し、あるいは少なくとも一方の結束部材取付部から取り外すことによって
、軒樋ネット固定具の両潜り部を、軒樋吊具の下方から引き抜き、そのまま上方に引き抜
くだけで、軒樋ネットおよび軒樋吊具から、軒樋ネット固定具を離脱させることができ、
取外し作業性を良好なものとすることができる。
【００２７】
このように、本発明の請求項１に係る軒樋ネット固定具によれば、従来よりも良好な作
業性によって、軒樋ネットを脱着させることができる。
【００２８】
本発明の請求項２に係る軒樋ネット固定具によれば、展開状態において、略矩形帯状の
一辺部の略中間部分が切断または切り欠かれた開放矩形帯状の部材を、前記一辺部のうち
前記切断または切り欠かれた部分にそれぞれ隣接する２つの残辺部同士が互いに対向する
ように、前記一辺部に平行な対辺部が屈曲されただけの簡単な構成であるため、製造が容
易でコストを低減することができる。
【００２９】
本発明の請求項３に係る軒樋ネット固定具によれば、展開状態において略Ω字状の部材
を、前記Ω字の２つの脚部同士が互いに対向するように、前記Ω字の頂部近傍が屈曲され
ただけの簡単な構成であるため、製造が容易でコストを低減することができる。
【００３０】
本発明の請求項４に係る軒樋ネット固定具によれば、一方の結束部材取付部に結束部材
が予め取り付けられているため、請求項１から３のうち対応する請求項に係る軒樋ネット
固定具による作用、効果に加えて、結束部材を２つの結束部材取付部に取り付ける場合よ
りも作業時間を短縮することができる。
【００３１】
なお、結束部材を一方の結束部材取付部に予め取り付ける作業を別途行う必要があるが
、この予め取り付ける作業は、軒樋ネット固定具単体の状態で行うことができるため、軒
樋吊具および軒樋ネットに取り付けた後に、当該一方の結束部材取付部に取り付ける作業
よりも、容易かつ短時間のうちに行うことができる。
【００３２】
本発明の軒樋ネット固定構造によれば、軒樋ネットと軒樋吊具との立体交差部分におい
て、本発明に係る軒樋ネット固定具が装着され、軒樋ネット固定具の前記両結束部材取付
部間が、結束部材により結束されて、軒樋ネットが軒樋吊具に固定されているため、従来
よりも良好な作業性により、軒樋ネットを脱着させることができる。
【発明を実施するための最良の形態】
【００３３】
以下、本発明の軒樋ネット固定具およびこの軒樋ネット固定具に係る最良の実施形態に
ついて、図面を参照して説明する。図１は、本発明に係る軒樋ネット固定具の一実施形態
を示す図であり、（ａ）は完成状態を示す斜視図、（ｂ）は展開状態を示す平面図である
。また、図２は、図１に示した軒樋ネット固定具５０によって、軒樋１のブラケット２（
軒樋吊具）に固定される軒樋ネットの一例を示す図である。
【００３４】
図２に示した軒樋１は、紙面に直交する長手方向に延びて配設され、建物の鼻隠し板５
に適宜の間隔で固定された複数のブラケット２によって、支持固定されている。ここでブ
ラケット２は、軒下部分を覆う鼻隠し板５に面接触する板状の取付部３と、この取付部３
から突出した片持ち梁状の軒樋支持腕部４とが一体的に形成されて構成されている。
【００３５】
取付部３は、鼻隠し板５に面接触した状態で釘等によって固定されており、軒樋支持腕
部４は、軒樋１の両側壁上端近傍部分に架け渡されて、その先端側腕部４ａに、軒樋１の
外側壁内面上部に形成された耳部６が引っ掛けられるとともに、軒樋支持腕部４の根元側
腕部４ｂに、軒樋１の内側壁内面上部に形成された耳部７が引っ掛けられることによって
、軒樋１は軒先１１に配設される。
【００３６】
そして、軒樋１と同一方向に延び、中空円筒状に丸められたプラスチック製の軒樋ネッ
ト１３が、図２（ｂ）に示すように、ブラケット２の上方（前側耳部６と軒先１１との間
）に挿嵌されて、軒樋１内側の雨水受け部１２の上方を覆い、落ち葉等が、雨水受け部１
２に落ち込むのを防止している。なお、図３（ａ），（ｂ）はそれぞれ、図２（ａ），（
ｂ）における軒樋ネット１３およびブラケット２を抜粋した斜視図である。
【００３７】
一方、軒樋ネット固定具５０は、図１（ｂ）の展開図に示すように、展開状態において
略矩形帯状の一辺部５１の略中間部分５１ａが切り欠かれた開放矩形帯状を呈しており、
この一辺部５１のうち切り欠かれた略中央部分５１ａにそれぞれ隣接する２つの残辺部５
１ｂ，５１ｃ同士が互いに対向するように、一辺部５１に平行な対辺部５２の略中央部５
２ａを屈曲させることによって、同図（ａ）に示す立体形状に形成されている。
【００３８】
立体形状に形成された軒樋ネット固定具５０は、同図（ａ）に示すように、残辺部５１
ｂと、この残辺部５１ｂに隣接する短辺部５３と、対辺部５２のうち屈曲した略中央部５
２ａを除いた一方の残辺部５２ｂとが略Ｕ字状に形成され、残辺部５１ｃと、この残辺部
５１ｃに隣接する短辺部５４と、対辺部５２のうち屈曲した略中央部５２ａを除いた他方
の残辺部５２ｃとが略Ｕ字状に形成され、これら両略Ｕ字状に形成された部分は、図２（
ｂ）に示す軒樋ネット１３の外周部と軒樋１の両側壁の内面１ａ，１ｂとの各間にそれぞ
れ上方側から挿入されて、ブラケット２の下方を通過し、軒樋ネット１３の外周部と軒樋
１の両側壁の内面１ａ，１ｂとの各間からそれぞれ上方に向けて露出する潜り部５５，５
６を構成し、対辺部５２の屈曲した略中央部５２ａは、軒樋ネット１３をその上方側にお
いて跨ぐ跨ぎ部５７を構成し、両潜り部５５，５６の端部には、軒樋ネット１３をその上
方側において跨いで結束する結束バンド６０（結束部材）が取り付けられる孔５５ａ，５
６ａ（結束部材取付部）が形成されている。
【００３９】
なお、略Ｕ字状の２つの潜り部５５，５６は、その間の間隔が、軒樋ネット１３の幅と
略等しい間隔を以て略平行に形成されている。
【００４０】
次に、本実施形態に係る軒樋ネット固定具５０の作用について、図２〜４を参照して説
明する。
【００４１】
まず、軒樋ネット１３は、図２（ｂ）および図３（ｂ）に示すように、ブラケット２の
上方に、ブラケット２と立体的に交差して配置されており、図１（ａ）に示した軒樋ネッ
ト固定具５０の略Ｕ字状に形成された両潜り部５５，５６の先端を、図４（ａ）に示すよ
うに、軒樋ネット１３の外周部と軒樋１の両側壁の内面１ａ，１ｂとの各間にそれぞれ上
方側から挿入し、ブラケット２の下方を通過させ、軒樋ネット１３の外周部と軒樋１の両
側壁の内面１ａ，１ｂとの各間からそれぞれ上方に向けて露出させる。このとき、軒樋ネ
ット固定具５０は、ブラケット２に対して軒樋ネット固定具５０を挿入した側では、跨ぎ
部５７が軒樋ネット１３の上方側を跨いだ状態となる。
【００４２】
そして、ブラケット２に対して潜り部５５，５６の先端が露出した側では、両潜り部５
５，５６の先端部に形成された孔５５ａ，５６ａに、軒樋ネット１３の上方側を跨いで結
束バンド６０が通されて結束される（図４（ｂ））。
【００４３】
一方、両潜り部５５，５６は、ブラケット２の下方をそれぞれ潜った状態となる。
【００４４】
この結果、軒樋ネット１３とブラケット２とは、軒樋ネット固定具５０および結束バン
ド６０によって互いに拘束された状態となり、軒樋ネット１３をブラケット２に固定する
ことができる。
【００４５】
なお、このように、軒樋１の両側壁内面上端近傍部分に架け渡されて軒樋１を支持する
片持ち梁状のブラケット２に、ブラケット２の上方に配設されて軒樋１の雨水受け部１２
の上方を覆う軒樋ネット１３を、軒樋ネット１３とブラケット２との立体的な交差部分に
おいて、軒樋ネット固定具５０およびこの軒樋ネット固定具５０の孔５５ａ，５６ａに通
された結束バンド６０により結束して、ブラケット２に固定した軒樋ネット固定構造は、
本発明に係る軒樋ネット固定構造の一実施形態となる。
【００４６】
そして、この軒樋１、ブラケット２および軒樋ネット１３の形状並びに配置は、特殊な
ものではなく一般的なものであるため、軒樋ネット固定具５０を汎用的に利用することが
できる。
【００４７】
さらに、上述した軒樋ネット固定具５０の両潜り部５５，５６を、軒樋ネット１３と軒
樋１との間に滑り込ませてブラケット２の下方を潜らせ、視認可能に上方に露出した孔５
５ａ，５６ａ間を結束バンド６０によって結束するだけの簡単な操作によって、軒樋ネッ
ト１３を固定することができるため、取付け固定作業性を良好なものとすることができる
。
【００４８】
一方、既に固定されている軒樋ネット固定具５０を取り外す場合には、視認可能に露出
した結束バンド６０を切断することによって、軒樋ネット固定具５０の両潜り部５５，５
６を、ブラケット２の下方から引き抜き、そのまま上方に引き抜くだけで、軒樋ネット１
３およびブラケット２から、軒樋ネット固定具５０を離脱させることができ、取外し作業
性を良好なものとすることができる。
【００４９】
このように、本実施形態に係る軒樋ネット固定具５０およびこの固定具５０を用いた軒
樋ネット固定構造によれば、良好な作業性により、軒樋ネット１３を脱着させることがで
きる。
【００５０】
なお、本実施形態に係る軒樋ネット固定具５０は、図１（ｂ）に示すように、展開状態
において、略矩形帯状を呈しているが、略矩形に代えて、略長円帯状（楕円帯状も含む）
を呈するものとすることもできる。また、一辺部５１の略中央部５１ａを切り欠くのに代
えて、残辺部５１ｂ、略中央部５１ａおよび残辺部５１ｃが連続して形成された一辺部５
１の、略中央部５１ａの一部を単に切断したものであってもよい。
【００５１】
また、軒樋ネット固定具５０は、図１に示した態様に限定されるものではなく、例えば
図５（ｂ）の展開図に示すように、展開状態において略Ω字状を呈しており、このΩ字の
２つの脚部５９ａ，５９ｂ同士が互いに対向するように、このΩ字の頂部５８近傍を屈曲
させることによって、同図（ａ）に示す立体形状に形成されている。
【００５２】
立体形状に形成された軒樋ネット固定具５０は、同図（ａ）に示すように、脚部５９ａ
，５９ｂがそれぞれ潜り部５５，５６を構成し、頂部５８近傍が跨ぎ部５７を構成してい
る。
【００５３】
そして、このように構成された実施形態の軒樋ネット固定具５０によっても、図１に示
した実施形態の軒樋ネット固定具５０と同様の作用、効果を発揮する。
【００５４】
また、結束バンド６０に代えて、銅線やタイラップバンドを結束部材として用いること
もでき、この場合、簡単に結束作業を行うことができる。
【００５５】
さらに、結束バンド６０を始めとする結束部材を、一方の孔５５ａまたは５６ａに予め
取り付けておいてもよく、結束部材を２つの結束部材取付部に取り付ける場合よりも作業
時間を短縮することができる。
【図面の簡単な説明】
【００５６】
【図１】本発明に係る軒樋ネット固定具の一実施形態を示す図であり、（ａ）は完成状態、（ｂ）は展開状態をそれぞれ示す図である。
【図２】図１に示した軒樋ネット固定具によって固定される軒樋ネットの一例を示す図であり、（ａ）は軒樋ネットを取り付ける以前の状態、（ｂ）は軒樋ネットを取り付けた後の状態をそれぞれ示す。
【図３】図２に示した状態のうち、軒樋ネットとブラケットとを抜粋した図（その１）であり、（ａ）は軒樋ネットを取り付ける以前の状態、（ｂ）は軒樋ネットを取り付けた後の状態をそれぞれ示す。
【図４】図２に示した状態のうち、軒樋ネットとブラケットとを抜粋した図（その２）であり、（ａ）は軒樋ネット固定具を取り付ける途中状態を示す図、（ｂ）は軒樋ネット固定具を取り付けた後の状態を示す図である。
【図５】本発明に係る軒樋ネット固定具の他の実施形態を示す図であり、（ａ）は完成状態、（ｂ）は展開状態をそれぞれ示す。
【図６】軒樋およびブラケットが建物に固定されている状態を示す図である。
【図７】従来の、軒樋ネットの固定構造の一例を示す図であり、（ａ）は軒樋ネットを取り付ける以前の状態、（ｂ）は軒樋ネットを取り付けた後に固定した状態をそれぞれ示す。
【符号の説明】
【００５７】
１      軒樋
２      ブラケット（軒樋吊具）
３      取付部
４      軒樋支持腕部
４ａ    先端側腕部
４ｂ    根元側腕部
５      鼻隠し板
６，７  耳部
８      水切り材
９，１０  銅線
１１    軒先
１２    雨水受け部
１３    軒樋ネット
５０    軒樋ネット固定具
５１    一辺部
５１ａ  略中央部
５１ｂ，５１ｃ，５２ｂ，５２ｃ  残辺部
５２    対辺部
５３，５４  短辺部
５５，５６  潜り部
５５ａ，５６ａ  孔（結束部材取付部）
５７    跨ぎ部
６０    結束バンド（結束部材）
【図１】
2005139674.tif 000003
【図２】
2005139674.tif 000004
【図３】
2005139674.tif 000005
【図４】
2005139674.tif 000006
【図５】
2005139674.tif 000007
【図６】
2005139674.tif 000008
【図７】
2005139674.tif 000009